(57)【要約】【課題】書き込み、消去を繰り返し行っても表面が傷みにくいという耐久性を有し、剥がれにくく且つどこでも簡単に書き込みや消去ができるインデックスラベルを提供することを目的とする。【解決手段】シート状部材４及びその下面の接着層５からなるインデックスラベル６であって、シート状部材４は、透明な樹脂部材で形成された第１層４ａと、第１層の下面に不透明な部材によって一体的に形成された第２層４ｂで構成されており、透明な樹脂部材で形成された第１層を通じて外部から第２層が見えることになる。そして第１層の表面に油性のフェルトペン等で書き込み及びクリーニング液などで消去をする。【選択図】図１
2005250101.tif 000002
【特許請求の範囲】
【請求項１】
透明な樹脂部材で形成された第１層と前記第１層の下面に接し不透明な部材によって第１層と一体的に形成された第２層とを有するシート状部材と、
前記シート状部材の第２層の下面に形成した接着部材からなる接着層とを具備したインデックスラベル。
【請求項２】
前記第２層は、前記第１層の下面に印刷することにより形成した請求項１記載のインデックスラベル。
【請求項３】
筐体と、
前記筺体の少なくとも１面に周囲の外周面よりも低く形成された凹部と、
前記凹部の底面に貼り付けられたインデックスラベルとを具備し、
前記インデックスラベルは、透明な樹脂部材で形成された第１層と前記第１層の下面に接し不透明な部材によって第１層と一体的に形成された第２層とを有するシート状部材と、前記シート状部材の第２層の下面に形成した接着部材からなる接着層とを具備し、
前記インデックスラベルの厚みが前記凹部の深さよりも薄くなるように形成した記録媒体。
【請求項４】
前記第２層は、前記第１層の下面に印刷することにより形成した請求項３記載の記録媒体。
【請求項５】
前記凹部は前記筐体のうち、前記記録媒体をスロットに挿入するときにスロットの挿入口に近くなる側に設けられている請求項３記載の記録媒体。
【請求項６】
前記筐体はコネクタを具備し、
前記凹部は、前記コネクタから遠い側を近い側よりも深く形成されている請求項３記載の記録媒体。
【発明の詳細な説明】
【技術分野】
【０００１】
本発明は、メモリーカード等の記録媒体のインデックスラベルに関する。
【背景技術】
【０００２】
昨今、メモリーカードやハードディスク等の記録媒体は、多くの種類が商品化され益々小型、薄型化が進み、あらゆる場所で使用されている。そして、記録媒体の記録内容や管理番号等を外部から見て簡単に確認できるようにするため、一般に記録媒体の筐体にはインデックスラベルが貼られ、使用されている。
【０００３】
従来より、ビデオカセットやフレキシブルディスク等の記録媒体の筺体にその記録内容等の表示のために貼るインデックスラベルやメモラベルはよく知られている。メモリーカードのインデックスラベルとしては、例えば、特許文献１、２に記載されたものが知られている。
【０００４】
特許文献１には、メモリーカードの筐体の一部にくぼみを設けその中にインデックスラベルを貼る内容が記載されている。また、特許文献２には、インデックスラベルに書き込んだ後に、接着剤を塗布した透明フィルムでインデックスラベルの上を覆う内容が記載されている。
【０００５】
図３は従来のメモリーカードのインデックスラベルの例である。図３にて、１は筐体である。２はコネクタであり、ホスト側のスロット内のコネクタと係合して、メモリーカードとホスト間でデータの転送や、メモリーカードへの電源の供給等が可能となる。３は筐体の一部に設けられた凹部である。１０はインデックスラベルであり、裏面に接着剤が塗布され、凹部の大きさよりも若干小さく形成されて凹部内の筐体の底面に接着可能である。インデックスラベル１０は紙製であり、その表面に鉛筆等でメモ等を書き込んだり、消しゴム等で消去することが可能である。メモリーカードの記録内容や管理番号等をインデックスラベルに記載しておくことで、メモリーカードをホスト側の機器に接続して記録内容を確認することなく、メモリーカード単体で簡単に内容が確認できる。
【０００６】
一方、紙のラベルの代わりに感熱式リライタブルカードを使用した例が特許文献３に記載されている。メモリーカードの表面に感熱記録材料から成る層を具備し、印字装置で書き込むことができることから、ラベルの貼りかえをせずに何度も書き込み、消去が可能である。
【特許文献１】特開２００３−５０９８０号公報
【特許文献２】特開２００３−２８０５２３号公報
【特許文献３】特開平９−１７９９５８号公報
【発明の開示】
【発明が解決しようとする課題】
【０００７】
しかしながら、紙製のインデックスラベルは、書き込み、消去を繰り返すと、紙が痛み使用できなくなるという問題点があった。紙の表面に罫線等の印刷がある場合、消しゴム等で何回も消すと、紙が磨耗して罫線が消えることがあった。また、書き込み、消去をしなくても長年使用しているうちに表面が擦れて傷んだり、ペン等で書かれたインデックスラベルが濡れると書かれた文字等が滲んだりすることもあった。さらに、フェルトペン等で書き込むと簡単には消去できなかった。以上のような場合、従来はインデックスラベルを貼りかえる必要が生じていた。
【０００８】
また、特許文献２のような貼りかえ可能なインデックスラベルは、剥離時の剥がしやすさも求められるため、接着力を強くすることができないという問題点があった。その結果、場合によってはインデックスラベルが外部のものと擦れたりすると剥がれる場合も生じる。メモリーカードの中でも特にＰＣカード等の場合には、ＰＣカードとスロット間の隙間が少なく、少しでもインデックスラベルの浮き等があれば擦れて剥がれやすくなる。更に、貼りかえ方式のインデックスラベルは、ユーザーによって貼り換える場合が多いため、所定の位置からずれて貼られる場合や２枚以上重ねて貼られる場合もあり、インデックスラベルが剥がれやすくなる。ＰＣカードをスロットに挿入する際にインデックスラベルが剥がれると、剥がれたインデックスラベルがスロット内に詰まり、コネクタが十分な勘合ができず接触不良になったり、ＰＣカードの挿抜力が重くなったりして挿抜動作に支障を来たすといった課題があった。また剥がれたインデックスラベルを破損したり失った場合はインデックスラベルに記載されていた情報を喪失するという課題があった。
【０００９】
一方、感熱式のラベルでは、書き込みや消去をするためには印字装置が必要であり、印字装置が手元にないときや室外等で装置が使用できない場所では書き込みができないという問題点があった。
【００１０】
本発明はこのような問題点に鑑み、どこでも簡単にメモを書き込み及び消去でき且つ耐久性のあるインデックスラベルを提供することを目的とする。
【課題を解決するための手段】
【００１１】
本発明のインデックスラベルは、透明な樹脂部材で形成された第１層と第１層の下面に接し不透明な部材によって第１層と一体的に形成された第２層とを有するシート状部材と、シート状部材の第２層の下面に形成した接着部材からなる接着層とを具備したものである。
【発明の効果】
【００１２】
本発明のインデックスラベルは、透明な樹脂部材からなる第１層と不透明な部材からなる第２層を一体に形成したことにより、第２層は直接表面に露出せず、第１層を通過して第２層の表面が見えることなる。そして、第１層を紙よりも耐久性のある樹脂部材にて形成し、第１層の表面上にて書き込み、消去をすることにより、繰り返して書込みや消去が可能となる。このときに第２層は紙等を使用しても直接擦れたり、力は作用しないので痛むことはないことから、耐久性のあるインデックスラベルを提供できるという効果がある。
【発明を実施するための最良の形態】
【００１３】
以下、本発明の実施の形態について、図１及び図２を用いて説明する。本実施の形態では、インデックスラベルが貼り付けられた記録媒体として、メモリーカードが複数内蔵されたメモリーパックを例にあげて説明する。
【００１４】
図１は、本発明のインデックスラベルが貼り付けられたメモリーパックの斜視図である。図１において、１はメモリーパックの筺体である。ここではメモリーパックをＰＣカード規格で構成したが、ＰＣカードに限らず、ハードディスク、フレキシブルディスク、メモリーカード、その他一般の記録媒体でも構成可能である。２はコネクタであり、従来例と同様であるので説明を省略する。３は筺体の一部に周囲の外周面よりも低く形成された凹部である。図１では凹部３は筐体１の上面の１ケ所に形成されているが、１ケ所だけでなく２ケ所以上に形成してもよい。あるいは凹部３は、下面や、１面だけでなく上面と側面等、２面以上にまたがって形成されてもよい。
【００１５】
６はインデックスラベルであり、シート状部材４と接着層５とを有している。また、シート状部材４は第１層４ａ及び第２層４ｂを有している。第１層４ａは透明の樹脂部材からなる。樹脂部材としては、ポリカーボネート、ポリエチレン、アクリル、ビニル、ナイロン、その他の透明の樹脂部材で構成可能である。一方、第２層４ｂは不透明部材からなる。不透明部材としては、紙、樹脂、金属、木材、化学繊維その他固体である程度の硬度があるものであれば構成可能である。そして、第２層４ｂは第１層４ａの下面に接して、接着、圧着、溶着、圧入等で一体的に形成されている。
【００１６】
ここで、第２層４ｂの上面に着色、印刷等を施しておくと、透明な第１層を通してこれを視認することが出来、表面に書き込む文字等だけでなく、予め印刷された文字、罫線、図、写真、模様による情報を使用者に提示でき使い勝手のよいインデックスラベルを提供できるという効果がある。印刷の色は白に限らず何色でもよいが、メモを書くペンや鉛筆等の色を考慮してその文字が見やすくなるように淡色を選ぶとよい。また、不透明部材は単色で全面印刷して形成する以外に、文字、罫線、図、写真、模様等を印刷して形成してもよい。これらの例としては、会社名、学校名、ロゴ、連絡先等を印刷することによりそのメモリーパックの所有者の情報を表示することができる。その他、メモリーパックの使用説明図、使用者の顔写真、国旗等を印刷することでインデックスラベルのスペース内で多くの情報を提供できる。
【００１７】
第２層４ｂとしては、前述のような部材を使用し、第１層と一体的に形成してもよいが、その他に、第１層の下面に不透明な色で全面印刷することにより、比較的簡単に一体的に形成することもできる。このようにすれば、生産性の高いインデックスラベルを提供できるという効果がある。この構成では第２層は第１層の下面にごく薄く形成された印刷膜となる。この場合の印刷層の構成は、上記と同様である。また、第２層は蛍光塗料等で形成することもできる。このようにすると、暗い場所でもメモリーパックの存在やその表裏、ラベル上のメモ書き等を認識しやすいという効果がある。
【００１８】
接着層５は、第２層４ｂの下面に形成される。接着層５は両面テープで形成してもよいし、第２層４ｂの下面に接着剤を塗布することで形成してもよい。本発明のインデックスラベルは、後述のように繰り返し書き込みや消去を行うことが出来るため、基本的に貼り換えを頻繁に行う必要がない。そのため、接着強度を強くすることによりインデックスラベルを剥がれにくくでき、ラベルが剥がれることに起因する動作不良等の問題も低減できる。また、インデックスラベルの高さを生産時に精度よく設定してその状態を保持できる。したがって、メモリーパック等の記録媒体とスロットとの間で隙間の少ない場合でも、インデックスラベルが剥がれてスロット内に詰まることによる故障の発生を抑制できる。
【００１９】
接着層５を筐体１の凹部３の底面に接着することにより、インデックスラベルが筐体１に固定される。図２はインデックスラベル６を筐体１の凹部３に接着したときの断面図を示している。図２のように、インデックスラベル６の厚みが凹部３の深さよりも薄くなるように形成することにより、インデックスラベル６をメモリーパックに貼ったときにインデックスラベルの表面が周囲の筐体より低くなる。このように構成することにより、メモリーパックをスロットに挿抜するときや持ち運び時にインデックスラベルが擦れにくく剥がれにくくなる。第１層４ａの表面上に書き込まれた文字等も擦れにくくなるので消えにくい。
【００２０】
また、凹部３はインデックスラベル６の大きさよりも大きくとることにより、インデックスラベル６の貼り付け作業が容易になる。しかしながらこの余裕があまり大きいと、インデックスラベル６の端部がスロットへの挿抜時等に引っかかって筐体１から剥がれやすくなるため、インデックスラベル６を剥がれにくくするという観点からは、凹部３とインデックスラベル６の大きさの差は、製造過程での公差を吸収できる程度のごくわずかな差とするのが望ましい。具体的には、インデックスラベル６の端部から凹部３の端部までの余裕がインデックスラベル６の厚みより小さいことが望ましい。
【００２１】
なお、凹部３は、記録媒体を記録装置等のスロットや保護用のケースに挿入したときに、スロットやケースの挿入口に近くなる側（例えば、中央部よりも挿入口寄りの１／２側）に設けることが望ましい。言い換えると、本実施の形態のようなメモリーパックやメモリーカード等の場合は、コネクタ２から遠い側に凹部３を設けることが望ましい。これは、記録媒体を記録装置に挿入している時にラベルに記載された内容を確認したい場合、スロットから記録媒体を途中まで引き出せばラベル部が外部に露出し、内容を視認できるからである。
【００２２】
以上のようにしてメモリーパックの筐体１の表面に形成されたインデックスラベル６の第１層４ａの表面に、手書きでメモを書き込み及び消去を行う。本発明のインデックスラベルに書き込む際はアルコール系インクの油性フェルトペン等を使用し、消去する場合は、例えば光学部品の洗浄液等に使用されるアルコール系溶剤で消去することができる。油性のフェルトペンで書き込むため簡単にメモできるとともに消えにくい。一方、アルコール系溶剤により、きれいに消去することが可能となる。第１層４ａは透明な樹脂部材で形成されているので、紙のラベルと異なり擦れ等に対する耐久性だけでなく、フェルトペンのインクやクリーニング液による書き込みや消去に対しても耐久性が高い。また、特別な装置を必要とせず、市販のペンやクリーニング液で簡単に書き込み及び消去が出来るため、メモリーパックにデータや映像等を記録した後すぐ、もしくは任意のタイミングで、ラベルに対して書き込みを行い、その内容を反映することが出来る。
【００２３】
第１層４ａの表面は、油性のフェルトペンのインクではじかずに書き込みが出来て、アルコールできれいに消去ができる樹脂部材と表面処理を選択するとよい。具体的には、ポリカーボネート、ポリエチレン、アクリル、ビニル、ナイロン、その他の透明の樹脂部材を使用し、表面は必要に応じて適切にマット加工をするとよい。マット加工により、面が荒れてインクが表面に付着しやすく表面に書いた文字等が消えにくくなる。第１層４ａに対し、鉛筆で書き込むことも不可能ではないが、鉛筆等を使用するときは、表面が滑りやすいので透明性を損なわない範囲でマット加工等により表面粗さを荒く形成した方がよい。また、筆圧で傷がつきにくくするため、樹脂部材もある程度の硬度や厚みが必要である。  アルコール等の液体で消去する場合は、液体の量が多いとインデックスラベルの範囲外に広がり、場合によっては周囲のコネクタ２等に侵入することも考えられる。インデックスラベル６の高さを凹部３の深さよりも薄く形成することにより、インデックスラベル６の高さが周囲の筐体から低くなるため液体が周囲へ流出しにくくなり、そのようなトラブルを防止することができるという効果もある。なお、凹部３を、コネクタ２から遠い側を近い側よりも深く形成することにより、液体がコネクタ２から遠い側へ流れやすくなるため、液体のコネクタ２への侵入防止効果をさらに高めることが出来る。
【産業上の利用可能性】
【００２４】
本発明にかかるインデックスラベルは、どこでも簡単にメモを書き込み及び消去でき且つ耐久性のあるメモラベルが実現できることから、室外で使用する携帯用情報機器の記録媒体等において有用である。
【図面の簡単な説明】
【００２５】
【図１】本発明の実施の形態における斜視図
【図２】本発明の実施の形態における断面図
【図３】従来のインデックスラベル及び記録媒体の斜視図
【符号の説明】
【００２６】
１  ・・・筺体
２  ・・・コネクタ
３  ・・・凹部
４  ・・・シート状部材
４ａ・・・第１層
４ｂ・・・第２層
５  ・・・接着層
６  ・・・インデックスラベル
１０・・・従来のインデックスラベル 
【図１】
2005250101.tif 000003
【図２】
2005250101.tif 000004
【図３】
2005250101.tif 000005